(57)【要約】【課題】密閉性を容易に確保することができる電気装置１０を提供する。【解決手段】電気装置１０は、電気部品を収容する本体と、前記本体の開放部を覆う蓋と、前記本体に設けられた第１シール部７１と、前記蓋に設けられた第２シール部６１と、を備え、前記開放部から窪み且つ前記電気部品のケーブル３８が嵌る第１溝７２が前記第１シール部７１に形成され、前記第１溝７２に対向し且つ前記ケーブル３８が嵌る第２溝６２が前記第２シール部６１に形成され、前記本体及び前記蓋により形成される筐体には、前記筐体の中から外へ延びる前記電気部品の前記ケーブルが通り、且つ、前記第１溝及び前記第２溝に対応する挿通部が設けられている。【選択図】図１
2018207065.tif 000002
【特許請求の範囲】
【請求項１】
電気部品を収容する本体と、
前記本体の開放部を覆う蓋と、
前記本体に設けられた第１シール部と、
前記蓋に設けられた第２シール部と、を備え、
前記開放部から窪み且つ前記電気部品のケーブルが嵌る第１溝が前記第１シール部に形成され、
前記第１溝に対向し且つ前記ケーブルが嵌る第２溝が前記第２シール部に形成され、
前記本体及び前記蓋により形成される筐体には、前記筐体の中から外へ延びる前記電気部品の前記ケーブルが通り、且つ、前記第１溝及び前記第２溝に対応する挿通部が設けられている、電気装置。
【請求項２】
前記挿通部は、前記本体と前記開放部を覆った前記蓋とにより形成される、請求項１に記載の電気装置。
【請求項３】
前記第１溝は、中心角が１８０度よりも大きく且つ半径が前記ケーブルの半径よりも小さい円弧状に形成されている、請求項１又は２に記載の電気装置。
【請求項４】
前記第１シール部及び前記第２シール部は、弾性部材から成り、前記開放部が前記蓋により覆われたときに互いに圧縮される、請求項１〜３のいずれか一項に記載の電気装置。
【請求項５】
互いに圧縮された前記第１シール部及び前記第２シール部により前記第１溝及び前記第２溝は円形状を形成する、請求項４に記載の電気装置。
【請求項６】
前記第１溝を取り囲む第１外側溝が形成され、前記第１シール部よりも外側に積層され且つ前記第１シール部よりも硬い第１外側支持部と、
前記第２溝を取り囲む第２外側溝が形成され、前記第２シール部よりも外側に積層され且つ前記第２シール部よりも硬い第２外側支持部と、をさらに備える、請求項１〜５のいずれか一項に記載の電気装置。
【請求項７】
前記第１溝を取り囲む第１内側溝が形成され、前記第１シール部よりも内側に積層され且つ前記第１シール部よりも硬い第１内側支持部と、
前記第２溝を取り囲む第２内側溝が形成され、前記第２シール部よりも内側に積層され且つ前記第２シール部よりも硬い第２内側支持部と、をさらに備える、請求項６に記載の電気装置。
【請求項８】
前記開放部は、前記第１溝が延びる方向、及び、前記第１溝が窪む方向と反対の前記第１溝が開口する方向に開放されている、請求項１〜７のいずれか一項に記載の電気装置。
【請求項９】
複数の前記第１溝が前記本体と前記蓋との境界に沿って１つの前記第１シール部に並んで設けられ、複数の前記第２溝が前記第１溝に対向し且つ前記第２シール部に並んで設けられている、請求項１〜８のいずれか一項に記載の電気装置。
【発明の詳細な説明】
【技術分野】
【０００１】
本発明は、電気装置に関し、例えば、ケーブルが接続された電気部品を収容する筐体を備えた電気装置に関する。
【背景技術】
【０００２】
ケーブルが接続された電気部品を収容する筐体を備えた電気装置において密閉性を確保するものとして、例えば、特許文献１に示す電子機器収容ラックが知られている。この電子機器収容ラックでは、ラック本体の内から外へケーブルを引き出すためのスリットが、弾性材料からなる板状の蓋に設けられている。
【先行技術文献】
【特許文献】
【０００３】
【特許文献１】特開２００８−１５３５９１号公報
【発明の概要】
【発明が解決しようとする課題】
【０００４】
例えば、ラック等に予め取り付けられた電子機器にケーブルを接続する場合、一端に電子機器に接続するためのコネクタが設けられ、他端に外部電源に接続するためのコネクタが設けられたケーブルを用いる。この場合、上記特許文献１に示す電子機器収容ラックでは、ケーブルを蓋のスリットに挿入して引き出すため、ケーブルよりも大きなコネクタを通すための大きなスリットを蓋に設ける必要があり、密閉性を確保することが容易ではない。
【０００５】
本発明はこのような課題を解決するためになされたものであり、密閉性を容易に確保することができる電気装置を提供することを目的としている。
【課題を解決するための手段】
【０００６】
本発明のある態様に係る電気装置は、電気部品を収容する本体と、前記本体の開放部を覆う蓋と、前記本体に設けられた第１シール部と、前記蓋に設けられた第２シール部と、を備え、前記開放部から窪み且つ前記電気部品のケーブルが嵌る第１溝が前記第１シール部に形成され、前記第１溝に対向し且つ前記ケーブルが嵌る第２溝が前記第２シール部に形成され、前記本体及び前記蓋により形成される筐体には、前記筐体の中から外へ延びる前記電気部品の前記ケーブルが通り、且つ、前記第１溝及び前記第２溝に対応する挿通部が設けられている。
【０００７】
電気装置では、前記挿通部は、前記本体と前記開放部を覆った前記蓋とにより形成されてもよい。
【０００８】
電気装置では、前記第１溝は、中心角が１８０度よりも大きく且つ半径が前記ケーブルの半径よりも小さい円弧状に形成されていてもよい。
【０００９】
電気装置では、前記第１シール部及び前記第２シール部は、弾性部材から成り、前記開放部が前記蓋により覆われたときに互いに圧縮されていてもよい。
【００１０】
電気装置では、互いに圧縮された前記第１シール部及び前記第２シール部により前記第１溝及び前記第２溝は円形状を形成してもよい。
【００１１】
電気装置では、前記第１溝を取り囲む第１外側溝が形成され、前記第１シール部よりも外側に積層され且つ前記第１シール部よりも硬い第１外側支持部と、前記第２溝を取り囲む第２外側溝が形成され、前記第２シール部よりも外側に積層され且つ前記第２シール部よりも硬い第２外側支持部と、をさらに備えていてもよい。
【００１２】
電気装置では、前記第１溝を取り囲む第１内側溝が形成され、前記第１シール部よりも内側に積層され且つ前記第１シール部よりも硬い第１内側支持部と、前記第２溝を取り囲む第２内側溝が形成され、前記第２シール部よりも内側に積層され且つ前記第２シール部よりも硬い第２内側支持部と、をさらに備えていてもよい。
【００１３】
電気装置では、前記開放部は、前記第１溝が延びる方向、及び、前記第１溝が窪む方向と反対の前記第１溝が開口する方向に開放されていてもよい。
【００１４】
電気装置では、複数の前記第１溝が前記本体と前記蓋との境界に沿って１つの前記第１シール部に並んで設けられ、複数の前記第２溝が前記第１溝に対向し且つ前記第２シール部に並んで設けられていてもよい。
【発明の効果】
【００１５】
本発明は、以上に説明した構成を有し、密閉性を容易に確保することができる電気装置を提供することができるという効果を奏する。
【００１６】
本発明の上記目的、他の目的、特徴及び利点は、添付図面を参照の下、以下の好適な実施態様の詳細な説明から明らかにされる。
【図面の簡単な説明】
【００１７】
【図１】本発明の実施の形態に係る電気装置を示す斜視図である。
【図２】図１の電気装置の断面図である。
【図３】図１の本体に第１カバー、第２カバー及び第３カバーを取り付けた電気装置の断面図である。
【図４】図３の第３ａカバー部分を取り外した電気装置の断面図である。
【図５】図４の電気装置を後側から視た図である。
【図６】図３の電気装置を後側から視た図である。
【発明を実施するための形態】
【００１８】
以下、本発明の実施の形態を、図面を参照しながら具体的に説明する。なお、以下では全ての図面を通じて同一又は相当する要素には同一の参照符号を付して、その重複する説明を省略する。また、各図において上、下、左、右、前、後の各方向を規定しているが、電気装置の方向はこれに限定されない。
【００１９】
実施の形態に係る電気装置１０の構成について、図１〜図２を参照して説明する。電気装置１０は、電気部品を収容するケース２０を備えている。ケース２０は、例えば、鉄よりも熱伝導率が良い材料により形成されており、この材料としては例えば、アルミニウム等の金属が挙げられる。ケース２０は、内部空間を有するケース２０であって、例えば、直方体形状である。ケース２０は、前壁２１、下壁２２、後壁２３、上壁２４、左壁２５及び右壁２６を有している。
【００２０】
ケース２０には、複数の第１通気孔３２が設けられている。また、ケース２０内に、複数の第１ファン３３が設けられており、左右方向に間隔を空けて配置されている。第１ファン３３は、前壁２１の第１通気孔３２の近傍に対向して設けられ、前方から後方への平面視において第１通気孔３２に重なる位置に配置されている。これにより、第１ファン３３は空気を前方の第１通気孔３２から導入し後方へ送風する。
【００２１】
後壁２３には複数の第３通気孔３４が開口している。第３通気孔３４は、前方から後方への平面視において前壁２１の第１通気孔３２に重なる位置に配置されている。この第３通気孔３４と第１通気孔３２との間に第１ファン３３が配置されている。これにより、第１ファン３３によって第１通気孔３２から導入された空気が後方へ流れ第３通気孔３４から排気される第１流通路がケース２０内に設けられる。
【００２２】
ケース２０には、複数の電気部品が収容されている。電気部品としては、例えば、パワー半導体素子３７、これを搭載したパワー回路基板３５、制御回路基板３６及び回生抵抗等が挙げられる。このうち、制御回路基板３６等の他の電気部品よりも発熱量が多いパワー半導体素子３７及び回生抵抗等の部品は下壁２２の内面に接して配置されている。これにより、これらから発生した熱は、熱伝導率が良いケース２０に伝達されることにより、放熱され冷却される。
【００２３】
また、パワー半導体素子３７及び回生抵抗等の発熱量が多い部品は、第１通気孔３２と第３通気孔３４との間における第１ファン３３による第１流通路に配置されている。これにより、これらは、第１ファン３３により送風される空気によって冷却される。
【００２４】
また、後壁２３には複数の貫通孔２７が設けられており、ケース２０の内部空間は貫通孔２７を介して外部に連通している。各貫通孔２７には、パワー回路基板３５のコネクタ３５ａ及び制御回路基板３６のコネクタ３６ａが相通されている。このコネクタ３５ａ、３６ａには、ケーブル３８の一端に設けられたコネクタ３８ａが接続される。このケーブル３８の他端には、外部電源に接続するためのコネクタ（図示せず）が設けられている。
【００２５】
次に、ケース２０を密封する場合の電気装置１０について、図３を参照して説明する。ケース２０の前壁２１の外面に第１カバー３９が装着され、下壁２２の外面に第２カバー４０が装着され、後壁２３の外面に第３カバー４１が装着されている。第１カバー３９、第２カバー４０及び第３カバー４１は、例えば、鉄よりも熱伝導率が良い材料により形成されており、この材料としては例えば、アルミニウムが挙げられる。
【００２６】
第１カバー３９は、後方が開口した形状であって、前壁２１の第１通気孔３２を被覆する。第１カバー３９には複数の第２通気孔４５が設けられている。この第２通気孔４５に対向して、第１カバー３９内に第２ファン４６が設けられている。
【００２７】
第２ファン４６は、第１カバー３９により覆われており、前方から後方への平面視において第１カバー３９の第２通気孔４５に重なる位置に配置されている。これにより、第２ファン４６は外部の空気を前方の第２通気孔４５から導入し後方へ送風する。
【００２８】
また、第１カバー３９の中において、前壁２１の第１通気孔３２を塞ぐように前壁２１の外面に被覆部品５６が取り付けられている。被覆部品５６は、例えば、平板形状であって、第１通気孔３２を塞いで、前壁２１においてケース２０を密閉する。
【００２９】
被覆部品５６は第２ファン４６に対向して配置され、第２ファン４６により第２通気孔４５を介して導入された空気は被覆部品５６へ送られる。この被覆部品５６は、例えば、鉄よりも熱伝導率が良い材料により形成されており、この材料としては例えば、アルミニウムが挙げられる。このため、第２ファン４６により送られた空気により被覆部品５６及びその近傍の空気が冷却される。被覆部品５６は、第１ファン３３の上流側に位置しているため、第１ファン３３は被覆部品５６により冷却された空気を発熱部品へ送り、これらを効率的に冷却することができる。
【００３０】
第２カバー４０は、上方が開口した直方体形状であって、ケース２０及び第３カバー４１の下方に設けられ、ケース２０の下壁２２及び第３カバー４１の下面を被覆し、これらとの間に閉じた空間を形成する。第２カバー４０は、前後方向において長さが、ケース２０の長さと第３カバー４１の長さとの和に等しく、前後方向において下壁２２及び第３カバー４１の全体亘る。
【００３１】
また、第２カバー４０は、前方にも開口し、開口部４７が設けられている。開口部４７の前方に第２ファン４６が配置されており、開口部４７は第１カバー３９により覆われている。この開口部４７によって第１カバー３９の内部空間と第２カバー４０の内部空間とは連通している。このため、第２ファン４６により第２通気孔４５から導入された空気は開口部４７を通り第２カバー４０内に送風される。
【００３２】
さらに、第２カバー４０の後面には複数の第４通気孔５０が開口している。第４通気孔５０は、前方から後方への平面視において開口部４７及び第１カバー３９の第２通気孔４５に重なる位置に配置され、第４通気孔５０と第２通気孔４５との間に第２ファン４６が配置されている。これにより、第２ファン４６によって第２通気孔４５から導入された空気が後方へ流れ開口部４７を介して第４通気孔５０から排気される第２流通路が第２カバー４０内に設けられる。
【００３３】
この第２カバー４０の内側において、ケース２０の下壁２２の外面（ケース２０の下面）に、ヒートシンク５１が取り付けられている。ヒートシンク５１は、ビス等によりケース２０に脱着可能に取り付けられ、第２カバー４０に覆われ、第２ファン４６による第２流通路に配されている。このヒートシンク５１によって下壁２２を介して発熱部品（パワー半導体素子３７、回生抵抗）が冷却される。
【００３４】
第３カバー４１は、前方が開口した直方体形状であって、ケース２０の後壁２３の後面を被覆し、これらとの間に閉じた空間を形成する。第３カバー４１は、上下方向の高さがケース２０の上下方向の高さと等しく、上下方向においてケース２０の後壁２３の外面の全体に亘る。そして、ケース２０が第２カバー４０及び第３カバー４１により覆われる形状は直方体形状である。
【００３５】
第３カバー４１には挿通部４８が設けられている。挿通部４８にはケーブル３８等が挿通する。ケーブル３８は、例えば商用電源等の外部電源と接続する電力を供給するためのケーブル、及び、各基板等の電気部品を外部機器と接続するためのケーブル等である。
【００３６】
次に、第３カバー４１の詳細について、図３〜図５を参照して説明する。第３カバー４１は、第３ａカバー部分６０及び第３ｂカバー部分７０を備えている。第３ａカバー部分６０は第３カバー４１の上面部６０ａ及び後面部の上側部分（第３ａ後面部６０ｂ）を有しており、第３ｂカバー部分７０は第３カバー４１の右面部、左面部、下面部７０ａ及び後面部の下側部分（第３ｂ後面部７０ｂ）を有している。なお、第３ａカバー部分６０は、第３ｂカバー部分７０に代わって、第３カバー４１の右面部及び／又は左面部を有していてもよい。
【００３７】
第３ａカバー部分６０は、図３及び図４に示すように、第３ｂカバー部分７０に対して脱着可能である。図３に示すように第３ｂカバー部分７０がケース２０に取り付けられると、電気部品を収容するケース２０の内部空間はケース２０の後壁２３の貫通孔２７を介して第３ｂカバー部分７０の内部空間に連通する。このように取り付けられて一体となったケース２０及び第３ｂカバー部分７０は、電気部品を収容する本体として機能する。
【００３８】
一方、図４に示すように第３ａカバー部分６０が第３ｂカバー部分７０から外すされると、第３ｂカバー部分７０は上方及び後方の上側部分に開口する開放部６０ｃを有する。そして、図３に示すように第３ａカバー部分６０が第３ｂカバー部分７０に取り付けられると、第３ａカバー部分６０は第３ｂカバー部分７０の開放部６０ｃを覆う。これにより、第３ａカバー部分６０は、本体の開放部６０ｃを覆う蓋として機能する。
【００３９】
このような本体（ケース２０及び第３ｂカバー部分７０）と蓋（第３ａカバー部分６０）とにより、筐体が形成される。この筐体には、筐体の中から外へ延びる電気部品のケーブル３８が通る挿通部４８が設けられる。挿通部４８は、第３ｂカバー部分７０と、第３ｂカバー部分７０の開放部６０ｃを覆った第３ａカバー部分６０とにより形成される。このため、第３ｂカバー部分７０の開放部６０ｃを第３ａカバー部分６０により覆うことにより、挿通部４８が第３ｂカバー部分７０と第３ａカバー部分６０との間に設けられる。一方、この第３ｂカバー部分７０から第３ａカバー部分６０が取り外されることにより、開放部６０ｃにより第３ｂカバー部分７０か開放される。
【００４０】
また、第３ｂカバー部分７０の第３ｂ後面部７０ｂには凹部（第３ｂ凹部７０ｃ）が設けられている。第３ｂ凹部７０ｃは、例えば矩形状であって、第３ｂカバー部分７０の第３ｂ後面部７０ｂ、右面部及び左面部の上端、並びに、第３ｂカバー部分７０と第３ａカバー部分６０とが接する部分よりも下方へ窪む。
【００４１】
さらに、第３ａカバー部分６０の第３ａ後面部６０ｂには凹部（第３ａ凹部６０ｄ）が設けられている。第３ａ凹部６０ｄは、例えば矩形状であって、第３ａカバー部分６０の第３ａ後面部６０ｂ、右面部及び左面部の上端、並びに、第３ｂカバー部分７０と第３ａカバー部分６０とが接する部分よりも下方へ窪む。
【００４２】
この第３ｂ凹部７０ｃと第３ａ凹部６０ｄとは互いに対向する位置に配置されている。このため、第３ａカバー部分６０を第３ｂカバー部分７０に取り付けると、第３ｂ凹部７０ｃと第３ａ凹部６０ｄとにより第３ａカバー部分６０と第３ｂカバー部分７０との間に挿通部４８が設けられる。
【００４３】
図４及び図５に示すように、第３ｂカバー部分７０（本体）に第１シール部７１が設けられ、第３ａカバー部分６０（蓋）に第２シール部６１が設けられている。第１シール部７１及び第２シール部６１は、スポンジ等の弾性部材から成り、例えば、矩形の平板形状を有している。
【００４４】
第１シール部７１は、第３ｂ後面部７０ｂの内側に配され、第３ｂ後面部７０ｂの一端（上端）よりも上方に延びる。第１シール部７１の他端（下端）は、例えば、第３ｂカバー部分７０の下面部７０ａに達し、第１シール部７１の下側部分は第３ｂ後面部７０ｂと重なっている。第２シール部６１は、第３ａ後面部６０ｂの内側に配され、第３ａ後面部６０ｂの一端（下端）よりも下方に延びる。第２シール部６１の上側部分は第３ａ後面部６０ｂと重なっている。
【００４５】
第１シール部７１の前後方向の厚みは第２シール部６１の前後方向の厚みに等しく、第１シール部７１の左右方向の幅は第２シール部６１の左右方向の幅に等しい。第３ａカバー部分６０が第３ｂカバー部分７０に取り付けられる際、第１シール部７１の上端と第２シール部６１との下端とが対向するように、第１シール部７１及び第２シール部６１は配置される。
【００４６】
第１シール部７１には、電気部品のケーブル３８が嵌る第１溝７２が設けられている。第１溝７２は、複数、第１シール部７１の上端に沿って互いに間隔を空けて左右方向に並んで配置されている。このため、複数の第１溝７２は、第３ｂカバー部分７０（本体）と第３ａカバー部分６０（蓋）との境界に沿って並んでいる。
【００４７】
第１溝７２は、第３ｂカバー部分７０の開放部６０ｃから窪み、第１シール部７１の上端から下方へ延びる。第１シール部７１の厚み方向(前後方向)に延びて第１シール部７１を貫通する。前後方向に垂直な面において第１溝７２は円弧形状であって、例えば、その中心角が１８０度よりも大きく、半円よりも大きな円弧形状である。第１溝７２の半径は、ケーブル３８の半径よりも小さい。第１溝７２の底は第３ｂ後面部７０ｂの上端よりも上方に位置しており、第１溝７２は第３ｂ後面部７０ｂと重ならない。
【００４８】
なお、開放部６０ｃは、第１溝７２が延びる方向、及び、第１溝７２が窪む方向と反対の第１溝７２が開口する方向に開放されている。つまり、第１溝７２は、前後方向に延び、下方に窪み、上方に開口する。また、第１溝７２は第３ａカバー部分６０の第３ａ後面部６０ｂに直交する方向に延び、第１溝７２は上面部６０ａ側へ開口する。このため、第３ａカバー部分６０を第３ｂカバー部分７０から取り外すことにより、第３ａ後面部６０ｂによって後方（第１溝７２が延びる方向）が開放され、上面部６０ａによって上方（第１溝７２が開口する方向）が開放される。これにより、開放部６０ｃから第１溝７２にケーブル３８を容易に嵌めることができる。
【００４９】
第２シール部６１には、電気部品のケーブル３８が嵌る第２溝６２が設けられている。第２溝６２は、複数、第２シール部６１の下端に沿って互いに間隔を空けて左右方向に並んで配置されている。第２溝６２は、第２シール部６１の下端から上方へ窪む。第２シール部６１の厚み方向(前後方向)に延びて第２シール部６１を貫通する。
【００５０】
第２溝６２は、前後方向に垂直な面において円弧形状である。後述するように、第１シール部７１及び第２シール部６１が互いに圧縮された際に、第１溝７２及び第２溝６２が円形状を形成するように、第２溝６２の円弧形状の中心角は設定される。第２溝６２の半径は、ケーブル３８の半径よりも小さい。第２溝６２の底は第３ａ後面部６０ｂの下端よりも下方に位置しており、第２溝６２は第３ａ後面部６０ｂと重ならない。
【００５１】
第２溝６２は、第３ａカバー部分６０（蓋）が第３ｂカバー部分７０（本体）の開放部６０ｃを覆った状態で、上下方向において第１溝７２に対応する位置に配置される。これにより、本体と蓋とにより形成される筐体において、第１溝７２及び第２溝６２により開口が形成される。この開口は、筐体の内外方向において筐体の挿通部４８に対向して配置される。このため、ケーブル３８は、開口と挿通部４８とを介して筐体の内から外に延びることができる。
【００５２】
第１シール部７１よりも外側には第１外側支持部７３が積層され、第２シール部６１よりも外側には第２外側支持部６３が積層されている。第１外側支持部７３は、第１シール部７１よりも硬く、例えば、第１シール部７１よりも硬いゴムなどの弾性部材により形成されている。第２外側支持部６３は、第２シール部６１よりも硬く、例えば、第２シール部６１よりも硬いゴムなどの弾性部材により形成されている。
【００５３】
第１外側支持部７３は、第１シール部７１と第３ｂ後面部７０ｂとの間に配置され、これらに固定されている。第１外側支持部７３は、その上端が第３ｂ後面部７０ｂの上端よりも上方に位置し、第３ｂ後面部７０ｂの外側に露出している。また、第１外側支持部７３の上端が第１シール部７１の上端よりも下方に位置し、第１シール部７１の上側部分は第１外側支持部７３よりも上方に突出している。
【００５４】
第２外側支持部６３は、第２シール部６１と第３ａ後面部６０ｂとの間に配置され、これらに固定されている。第２外側支持部６３は、その下端が第３ａ後面部６０ｂの下端よりも下方に位置し、第３ａ後面部６０ｂの外側に露出している。また、第２外側支持部６３の下端が第２シール部６１の下端よりも上方に位置し、第２シール部６１の下側部分は第２外側支持部６３よりも下方に突出している。
【００５５】
第１外側支持部７３の前後方向の厚みは第２外側支持部６３の前後方向の厚みに等しく、第１外側支持部７３の左右方向の幅は第２外側支持部６３の左右方向の幅に等しい。第３ａカバー部分６０が第３ｂカバー部分７０に取り付けられる際、第１外側支持部７３の上端と第２外側支持部６３との下端とが対向するように、第１外側支持部７３及び第２外側支持部６３は配置される。
【００５６】
第１外側支持部７３には、電気部品のケーブル３８が嵌る第１外側溝７４が設けられている。第１外側溝７４は、複数、第１外側支持部７３の上端に沿って互いに間隔を空けて左右方向に並んで配置されている。第１外側溝７４は、第３ｂカバー部分７０の開放部６０ｃから窪み、第１外側支持部７３の上端から下方へ延びる。第１外側支持部７３の厚み方向(前後方向)に延びて第１外側支持部７３を貫通する。前後方向に垂直な面において第１外側溝７４は円弧形状であって、例えば、その中心角が１８０度の半円形状である。第１外側溝７４の半径は、ケーブル３８の半径と等しい又は少し大きい。また、第１外側溝７４は、その半径が第１溝７２の半径よりも大きく、第１溝７２を取り囲むように配置されている。第１外側溝７４の底は第３ｂ後面部７０ｂよりも上方に位置しており、第１外側溝７４は第３ｂ後面部７０ｂと重ならない。
【００５７】
第２外側支持部６３には、電気部品のケーブル３８が嵌る第２外側溝６４が設けられている。第２外側溝６４は、複数、第２外側支持部６３の上端に沿って互いに間隔を空けて左右方向に並んで配置されている。第２外側溝６４は、第２外側支持部６３の下端から上方へ窪む。第２外側支持部６３の厚み方向(前後方向)に延びて第２外側支持部６３を貫通する。前後方向に垂直な面において第２外側溝６４は円弧形状であって、例えば、その中心角が１８０度の半円形状である。第２外側溝６４の半径は、ケーブル３８の半径と等しい又は少し大きい。また、第２外側溝６４は、その半径が第２溝６２の半径よりも大きく、第２溝６２を取り囲むように配置されている。第２外側溝６４の底は第３ａ後面部６０ｂよりも下方に位置しており、第２外側溝６４は第３ａ後面部６０ｂと重ならない。
【００５８】
第１シール部７１よりも内側には第１内側支持部７５が積層され、第２シール部６１よりも内側には第２内側支持部６５が積層されている。第１内側支持部７５は、第１シール部７１よりも硬く、例えば、金属及び樹脂により形成されている。第２内側支持部６５は、第２シール部６１よりも硬く、例えば、金属及び樹脂により形成されている。
【００５９】
第１内側支持部７５は、第１外側支持部７３との間に第１シール部７１を挟むように配置され、これらと共に第３ｂ後面部７０ｂに固定されている。第１内側支持部７５は、例えば、第１外側支持部７３と同じ形状を有し、その上端が第３ｂ後面部７０ｂの上端よりも上方に位置している。また、第１内側支持部７５の上端が第１シール部７１の上端よりも下方に位置し、第１シール部７１の上側部分は第１内側支持部７５よりも上方に突出している。
【００６０】
第２内側支持部６５は、第２外側支持部６３との間に第２シール部６１を挟むように配置され、これらと共に第３ａ後面部６０ｂに固定されている。第２内側支持部６５は、例えば、第２外側支持部６３と同じ形状を有し、その下端が第３ａ後面部６０ｂの下端よりも下方に位置している。また、第２内側支持部６５の下端が第２シール部６１の下端よりも上方に位置し、第２シール部６１の下側部分は第２内側支持部６５よりも下方に突出している。
【００６１】
第１内側支持部７５には、電気部品のケーブル３８が嵌る第１内側溝７６が設けられている。第１内側溝７６は、複数、第１内側支持部７５の上端に沿って互いに間隔を空けて左右方向に並んで配置されている。第１内側溝７６は、第３ｂカバー部分７０の開放部６０ｃから窪み、第１内側支持部７５の上端から下方へ延びる。第１内側支持部７５の厚み方向(前後方向)に延びて第１内側支持部７５を貫通する。前後方向に垂直な面において第１内側溝７６は円弧形状であって、例えば、その中心角が１８０度の半円形状である。
【００６２】
第１内側溝７６の半径は、ケーブル３８の半径よりも少し大きく、第１外側溝７４の半径よりも大きくてもよい。また、第１内側溝７６は、その半径が第１溝７２の半径よりも大きく、第１溝７２を取り囲むように配置されている。これにより、第１外側溝７４、第１溝７２及び第１内側溝７６は、この順でケーブル３８の長手方向（前後方向）に並んで、これらにより第３ｂカバー部分７０の内側と外側とが連通する。また、第１内側溝７６の底は第３ｂ後面部７０ｂよりも上方に位置しており、第１内側溝７６は第３ｂ後面部７０ｂと重ならない。
【００６３】
第２内側支持部６５には、電気部品のケーブル３８が嵌る第２内側溝６６が設けられている。第２内側溝６６は、複数、第２内側支持部６５の上端に沿って互いに間隔を空けて左右方向に並んで配置されている。第２内側溝６６は、第２内側支持部６５の下端から上方へ窪む。第２内側支持部６５の厚み方向(前後方向)に延びて第２内側支持部６５を貫通する。前後方向に垂直な面において第２内側溝６６は円弧形状であって、例えば、その中心角が１８０度の半円形状である。
【００６４】
第２内側溝６６の半径は、ケーブル３８の半径と等しい又は少し大きい。また、第２内側溝６６は、その半径が第２溝６２の半径よりも大きく、第２溝６２を取り囲むように配置されている。これにより、第２外側溝６４、第２溝６２及び第２内側溝６６は、この順でケーブル３８の長手方向（前後方向）に並んで、これらにより第３ａカバー部分６０の内側と外側とが連通する。また、第２内側溝６６の底は第３ａ後面部６０ｂよりも下方に位置しており、第２内側溝６６は第３ａ後面部６０ｂと重ならない。
【００６５】
次に、ケース２０に第３カバー４１の取り付け方について、図３〜図６を参照して説明する。まず、図４に示すように、ケース２０に第１カバー３９、第２カバー４０及び第３カバー４１の第３ｂカバー部分７０をビス等により取り付ける。そして、ケース２０内の電気部品のケーブル３８を後壁２３の貫通孔２７から第３ｂカバー部分７０へ引き出す。
【００６６】
それから、図５に示すように、ケーブル３８を第３ｂカバー部分７０の開放部６０ｃから第１シール部７１の第１溝７２に嵌める。これにより、ケーブル３８が位置決めされると共に、第１シール部７１により支持される。このため、ケーブル３８の位置を保持する必要がない。
【００６７】
また、この際、第１溝７２の半径がケーブル３８の半径よりも小さく、且つ、第１シール部７１は柔らかい弾性部材により形成されているため、ケーブル３８により第１シール部７１は変形する。そして、ケーブル３８により圧縮された第１シール部７１はケーブル３８に密着し、これらの間が密閉される。
【００６８】
また、第１溝７２は、中心角が１８０度よりも大きな円弧形状に形成されている。このため、左右方向において、第１溝７２の開口の長さはケーブル３８の半径よりも小さい。このため、第１溝７２に嵌ったケーブル３８は第１溝７２の開口から抜け難く、ケーブル３８は第１溝７２により確実に保持される。
【００６９】
続いて、図３及び図６に示すように第３ａカバー部分６０が第３ｂカバー部分７０に取り付けられる際、第１シール部７１が第１外側支持部７３よりも上方へ突出し、第２シール部６１が第２外側支持部６３よりも下方へ突出している。このため、第１外側支持部７３と第２外側支持部６３とが当接する前に、第１シール部７１と第２シール部６１とが当接する。柔らかい弾性部材により形成されている第１シール部７１及び第２シール部６１は、変形して、互いに圧縮される。これにより、スポンジで形成されている第１シール部７１及び第２シール部６１自体の隙間、並びに、第１シール部７１と第２シール部６１との間の隙間が埋まり、この間がより確実に密閉される。
【００７０】
また、上下方向において第１溝７２と第２溝６２とは対向して配置されている。これにより、第２シール部６１が第１シール部７１上に重ねられると、下部分が第１溝７２に嵌っているケーブル３８の上部分が第２溝６２に嵌る。この第１シール部７１及び第２シール部６１が互いに圧縮されることにより第１溝７２及び第２溝６２が円形状になり、第１シール部７１及び第２シール部６１が均等にケーブル３８に密着することができる。このため、より確実にこれらの間が密閉される。
【００７１】
さらに、第１シール部７１は第１外側支持部７３及び第１内側支持部７５により挟持されている。このため、第１シール部７１がケーブル３８により押される際に、ケーブル３８の長手方向に第１シール部７１が倒れることが防止される。また、ケーブル３８によって第１シール部７１が変形する際に、ケーブル３８の長手方向に第１シーブルが拡がることが防止される。これにより、第１シール部７１がケーブル３８の長手方向に直交する径方向に圧縮されて、第１シール部７１自体、及び、第１シール部７１とケーブル３８との間の隙間がより確実に密閉される。
【００７２】
同様に、第２シール部６１は第２外側支持部６３及び第２内側支持部６５により挟持されている。このため、第２シール部６１がケーブル３８により押される際に、ケーブル３８の長手方向に第２シール部６１が倒れることが防止される。また、ケーブル３８によって第２シール部６１が変形する際に、ケーブル３８の長手方向に第２シーブルが拡がることが防止される。これにより、第２シール部６１がケーブル３８の長手方向に直交する径方向に圧縮されて、第２シール部６１自体、及び、第２シール部６１とケーブル３８との間の隙間がより確実に密閉される。
【００７３】
続いて、第１外側支持部７３の上端と第２外側支持部６３の下端とが当接し、これらの間が閉じられる。これにより、これらの間が密閉される。そして、第３ａ後面部６０ｂと第３ｂ後面部７０ｂとが面一になり、第３カバー４１の後面部を形成する。
【００７４】
この第１外側支持部７３及び第２外側支持部６３は、第１シール部７１及び第２シール部６１よりも硬く、第１シール部７１及び第２シール部６１よりも外側に露出する。このため、第１外側支持部７３及び第２外側支持部６３は、外側からワイヤ等の異物が第３カバー４１内に侵入することを防止することができる。
【００７５】
また、第３カバー４１に装着されたケーブル３８について、第１内側支持部７５及び第２内側支持部６５よりも内側では、ケース２０及び第３カバー４１に覆われているため、ほとんど動かない。このため、ケーブル３８が動いて第１内側支持部７５及び第２内側支持部６５に当たり傷つくことが少ない。よって、第１シール部７１及び第２シール部６１を支持するだけの強度は有するが、安価な材料を第１内側支持部７５及び第２内側支持部６５に用いることができ、電気装置１０の低コスト化を図ることができる。
【００７６】
これに対して、第１外側支持部７３及び第２外側支持部６３よりも外側のケーブル３８の部分は、外に露出しているため、動きが大きい。このため、ケーブル３８が動いて第１外側支持部７３及び第２外側支持部６３に当たることが多い。ただし、第１外側支持部７３及び第２外側支持部６３が弾性部材により形成されているため、ケーブル３８の動きを抑えることができる。しかも、ケーブル３８が第１外側支持部７３及び第２外側支持部６３に当たっても、第１外側支持部７３及び第２外側支持部６３が変形し、ケーブル３８を傷つけることが低減される。
【００７７】
このような構成によれば、電気装置１０は、電気部品を収容するケース２０及び第３ｂカバー部分７０（本体）と、第３ｂカバー部分７０の開放部６０ｃを覆う第３ａカバー部分６０（蓋）と、第３ｂカバー部分７０に設けられた第１シール部７１と、開放部６０ｃから窪み第１シール部７１に形成され且つ電気部品のケーブル３８が嵌る第１溝７２と、第３ａカバー部分６０に設けられた第２シール部６１と、第１溝７２に対向し第２シール部６１に形成され且つ電気部品のケーブル３８が嵌る第２溝６２と、を備えている。
【００７８】
これによれば、互いに対向した第１溝７２及び第２溝６２にケーブル３８が嵌ることにより、ケーブル３８の位置決め及び支持がなされる。このため、第３ｂカバー部分７０に第３ａカバー部分６０を取り付けるだけで、ケーブル３８と第３ｂカバー部分７０及び第３ａカバー部分６０との間を第１シール部７１及び第２シール部６１により容易に密閉することができる。
【００７９】
また、第１溝７２は、中心角が１８０度よりも大きく、且つ、半径がケーブル３８の半径よりも小さい円弧状に形成されている。これにより、第１溝７２に嵌ったケーブル３８が第１シール部７１と密着し、これらの間が密閉される。また、ケーブル３８が第１溝７２から外れにくく、ケーブル３８を容易に保持することができる。
【００８０】
さらに、第１シール部７１及び第２シール部６１は、弾性部材から成り、開放部６０ｃが第３ａカバー部分６０により覆われたときに互いに圧縮される。これにより、第１シール部７１自体、第２シール部６１自体、及び、第１シール部７１と第２シール部６１との間の隙間が埋まり、これらの密閉性が確保される。
【００８１】
また、圧縮された第１シール部７１及び第２シール部６１により第１溝７２及び第２溝６２は円形状を形成する。これにより、第１溝７２及び第２溝６２に嵌ったケーブル３８に第１シール部７１及び第２シール部６１が均等に密着し、この密閉性が確保される。
【００８２】
さらに、電気装置１０は、第１シール部７１よりも外側に積層され且つ第１シール部７１よりも硬い第１外側支持部７３と、第１外側支持部７３に設けられ且つ第１溝７２を取り囲む第１外側溝７４とさらに備える。電気装置１０は、第２シール部６１よりも外側に積層され且つ第２シール部６１よりも硬い第２外側支持部６３と、第２外側支持部６３に設けられ且つ第２溝６２を取り囲む第２外側溝６４とさらに備える。この外側に露出された第１外側支持部７３及び第２外側支持部６３により、外側から第３ｂカバー部分７０内へ異物が侵入することを防止することができる。また、第１外側支持部７３及び第２外側支持部６３は、第１外側溝７４及び第２外側溝６４に嵌ったケーブル３８を傷つけることなく、支持することができる。
【００８３】
また、電気装置１０は、第１シール部７１よりも外側に積層され且つ第１シール部７１よりも硬い第１外側支持部７３と、第１外側支持部７３に設けられ且つ第１溝７２を取り囲む第１外側溝７４と、第１シール部７１よりも内側に積層され且つ第１シール部７１よりも硬い第１内側支持部７５と、第１内側支持部７５に設けられ且つ第１溝７２を取り囲む第１内側溝７６とをさらに備えている。電気装置１０は、第２シール部６１よりも外側に積層され且つ第２シール部６１よりも硬い第２外側支持部６３と、第２外側支持部６３に設けられ且つ第２溝６２を取り囲む第２外側溝６４と、第２シール部６１よりも内側に積層され且つ第２シール部６１よりも硬い第２内側支持部６５と、第２内側支持部６５に設けられ且つ第２溝６２を取り囲む第２内側溝６６とをさらに備える。これにより、第１シール部７１は第１外側支持部７３と第１内側支持部７５との間に挟持されるため、傾斜したり内外方向に拡がったりすることが防止される。第２シール部６１は第２外側支持部６３と第２内側支持部６５との間に挟持されるため、傾斜したり内外方向に拡がったりすることが防止される。このため、第１シール部７１及び第２シール部６１が、ケーブル３８の径方向に延びて、ケーブル３８に密着して、これらの間を密閉することができる。
【００８４】
さらに、複数の第１溝７２が第１シール部７１に並んで設けられ、複数の第２溝６２が第２シール部６１に並んで設けられている。これにより、複数のケーブル３８を複数の第１溝７２及び第２溝６２にそれぞれ嵌めて、第３ｂカバー部分７０に第３ａカバー部分６０を取り付けるだけで、密閉を確保しつつ複数のケーブル３８を容易に取り付けることができる。
【００８５】
（その他の実施の形態）
本発明は上記記述及び図面によって説明した実施の形態に限定されるものではなく、例えば次のような実施の形態も本発明の技術的範囲に含まれる。
【００８６】
なお、上記全実施の形態は、互いに相手を排除しない限り、互いに組み合わせてもよい。上記説明から、当業者にとっては、本発明の多くの改良や他の実施の形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【００８７】
本発明の電気装置は、密閉性を容易に確保することができる電気装置等として有用である。
【符号の説明】
【００８８】
１０    ：電気装置
２０    ：ケース（本体）
３８    ：ケーブル
４８    ：挿通部
６０    ：第３ａカバー部分（蓋）
６１    ：第２シール部
６０ｃ  ：開放部
６２    ：第２溝
６３    ：第２外側支持部
６４    ：第２外側溝
６５    ：第２内側支持部
６６    ：第２内側溝
７０    ：第３ｂカバー部分（本体）
７１    ：第１シール部
７２    ：第１溝
７３    ：第１外側支持部
７４    ：第１外側溝
７５    ：第１内側支持部
７６    ：第１内側溝
【図１】
2018207065.tif 000003
【図２】
2018207065.tif 000004
【図３】
2018207065.tif 000005
【図４】
2018207065.tif 000006
【図５】
2018207065.tif 000007
【図６】
2018207065.tif 000008